(57)【要約】【課題】カムリングの振動を防止することでポンプの振動や異音の発生を防止することができるベーンポンプを提供する。【解決手段】ピン１０の略中間部分には、拡径部１０ｂを設けている。この拡径部１０ｂの直径は、貫通孔Ｈの小径部Ｈ１の内径よりも大きくするとともに、貫通孔Ｈの大径部Ｈ２の内径よりも小さくしている。そして、このような拡径部１０ｂを備えたピン１０を貫通孔Ｈに挿入すると、貫通孔Ｈの小径部Ｈ１と大径部Ｈ２との境目に形成される段部１１に拡径部１０ｂがひっかかるようにしている。上記カムリングの段部１１を拡径部１０ｂで引っかけた状態で、ピン１０の先端側挿入部１０ａをサイドプレート３の挿入穴３ａに圧入するようにしている。【選択図】　図１
2004084565.tif 000002
【特許請求の範囲】
【請求項１】
ケーシングに組み込んだカムリングの位置を、ケーシングに固定したピンによって位置決めするベーンポンプにおいて、上記カムリングには、上記ピンを挿入する貫通孔を形成するとともに、この貫通孔の内周に段部を設ける一方、上記ピンには、貫通孔に挿入したときに上記段部にひっかかるストッパー部を設け、このストッパー部を段部にひっかけた状態で、ピンの一端をケーシングに挿入して固定すると、カムリングがケーシングに押し付けられ、カムリングとケーシングとが一体的に結合される構成にしたことを特徴とするベーンポンプ。
【請求項２】
ケーシングにカムリングとサイドプレートを組み込むとともに、カムリングの位置を、サイドプレートに固定したピンによって位置決めするベーンポンプにおいて、上記カムリングには、上記ピンを挿入する貫通孔を形成するとともに、この貫通孔の内周に段部を設ける一方、上記ピンには、貫通孔に挿入したときに上記段部にひっかかるストッパー部を設け、このストッパー部を段部にひっかけた状態で、ピンの一端をサイドプレートに挿入して固定すると、カムリングがサイドプレートに押し付けられ、カムリングとケーシングとが一体的に結合される構成にしたことを特徴とするベーンポンプ。
【発明の詳細な説明】
【０００１】
【発明の属する技術分野】
この発明は、ケーシング内に組み込んだカムリングの位置を、ピンによって位置決めするベーンポンプに関する。
【０００２】
【従来の技術】
図２に示すように、ケーシング１に形成した収納穴２には、カムリング４を組み込んでいる。このカムリング４には、図３に示すように略楕円形のリング孔４ａを形成するとともに、このリング孔４ａにロータ６を回転自在に組み込んでいる。そして、ロータ６には、突出自在とした複数枚のベーン７を放射状に組み込んでいる。
【０００３】
また、ロータ６には軸孔８を形成し、この軸孔８にシャフト９を貫通させている。このシャフト９は、ケーシング１に対して回転自在に支持されていて、シャフト９の回転に伴って、ロータ６も回転するようにしている。
なお、上記のようにカムリング４，ロータ６およびベーン７を組み込んだ収納穴２には、図４に示すように、カムリング４の側面に接触させた状態で、サイドプレート３も組み込んでいる。そして、これらサイドプレート３とカムリング４とを、図２、図３に示すように、ピン５，５によって連結している。すなわち、カムリング４には貫通孔Ｈ、Ｈを形成する一方で、サイドプレート３には挿入孔３ａ，３ａを形成している。そして、これら貫通孔Ｈ、Ｈと挿入孔３ａ，３ａを一致させた状態で、各孔にピン５，５を挿入した構成にしている。このようなピン５，５を利用することによって、サイドプレート３に対するカムリング４の位置を決めている。
【０００４】
なお、上記カムリング４及びサイドプレート３等を組み込んだ収納穴２は、ケーシング１に固定する図示していないカバーによって塞ぐようにしている。そして、このカバーに形成した穴に、カムリング４から突出させたピン５，５の一端を挿入することによって、カバーに対するカムリングおよびサイドプレート３の位置を決めている。
【０００５】
このようにしたベーンポンプは、図示しない駆動源によってシャフト９とともにロータ６を回転させると、その遠心力によってベーン７がロータ６から突出する。そして、この突出したベーン７の先端が、カムリング４の内壁であるリング孔４ａに押し付けられて、各ベーン７間に室が形成される。また、ベーン７の先端がリング孔４ａに押し付けられた状態で、ロータ６が回転すると、各ベーン７間に形成された室の容積が順次変化する。そして、上記ロータ６を図２の矢印ｋ方向に回転させると、一点鎖線Ｓで示す部分においては、室の容積が拡大することによって作動油を吸い込む。また、一点鎖線Ｔで示す部分においては、室の容積が縮小することによって作動油を吐出することになる。
【０００６】
上記したように、カムリング４は、２本のピン５、５によって位置決めされているが、これらピン５，５を挿入する貫通孔Ｈ、Ｈは、通常、図４のようにピン５の直径よりも内径を僅かに大きくした小径部Ｈ１と、この小径部Ｈ１よりもさらに内径を大きくした大径部Ｈ２とから構成されている。カムリング４の位置決めという観点からすると、貫通孔Ｈとピン５とのクリアランスは小さければ小さい程良い。なぜなら、ピン５と貫通孔Ｈとの間のクリアランスが大きくなると、カムリング４ががたついて、サイドプレート３に対する位置決め精度が悪くなるからである。
【０００７】
しかし、上記クリアランスを小さくしすぎると、ピン５を貫通孔Ｈに挿入しにくくなる。特に、サイドプレート３に形成した挿入孔３ａにピン５の一端を挿入した状態において、このピン５が僅かでも傾いていると、ピン５を挿入することができなくなる。そこで、貫通孔Ｈに大径部Ｈ２を形成し、ピン５が多少傾いたとしても、このピン５が貫通孔Ｈに挿入できるようにしている。
【０００８】
【発明が解決しようとする課題】
上記従来例では、貫通孔Ｈの小径部Ｈ１の内径を、カムリング４の組み付け効率が悪化しない程度にピン５の直径よりも僅かに大きくしているが、これら両者間のクリアランスをゼロにすることはできない。そのため、このクリアランスの分だけカムリング４がサイドプレート３に対して作動時に動いてしまい、それが原因でカムリング４が振動し、さらにはこれによりポンプの振動や異音が発生するという問題があった。
この発明の目的は、カムリングの振動を防止することでポンプの振動や異音の発生を防止することができるベーンポンプを提供することである。
【０００９】
【課題を解決するための手段】
第１の発明は、ケーシングに組み込んだカムリングの位置を、ケーシングに固定したピンによって位置決めするベーンポンプにおいて、上記カムリングには、上記ピンを挿入する貫通孔を形成するとともに、この貫通孔の内周に段部を設ける一方、上記ピンには、貫通孔に挿入したときに上記段部にひっかかるストッパー部を設け、このストッパー部を段部にひっかけた状態で、ピンの一端をケーシングに挿入して固定すると、カムリングがケーシングに押し付けられ、カムリングとケーシングとが一体的に結合される構成にしたことを特徴とする。
【００１０】
第２の発明は、ケーシングにカムリングとサイドプレートを組み込むとともに、カムリングの位置を、サイドプレートに固定したピンによって位置決めするベーンポンプにおいて、上記カムリングには、上記ピンを挿入する貫通孔を形成するとともに、この貫通孔の内周に段部を設ける一方、上記ピンには、貫通孔に挿入したときに上記段部にひっかかるストッパー部を設け、このストッパー部を段部にひっかけた状態で、ピンの一端をサイドプレートに挿入して固定すると、カムリングがサイドプレートに押し付けられ、カムリングとケーシングとが一体的に結合される構成にしたことを特徴とする。
【００１１】
【発明の実施の形態】
図１に示すこの発明の実施形態は、ピン１０の略中間部分に、直径の大きい拡径部１０ｂを設けた点と、この拡径部１０ｂでカムリング４の貫通孔Ｈ内に設けた小径部Ｈ１と大径部Ｈ２との間の段部１１を押し付けるようにした点とに特徴を有し、その他の構成については前記従来例と同じである。そこで、以下では、上記特徴を中心に説明し、従来と同じ構成要素については従来と同じ符号を用いてその詳細な説明を省略する。
【００１２】
図１に示したように、ピン１０の略中間部分には、拡径部１０ｂを設けている。この拡径部１０ｂの直径は、貫通孔Ｈの小径部Ｈ１の内径よりも大きくするとともに、貫通孔Ｈの大径部Ｈ２の内径よりも小さくしている。そして、このような拡径部１０ｂを備えたピン１０を貫通孔Ｈに挿入すると、貫通孔Ｈの小径部Ｈ１と大径部Ｈ２との境目に形成される段部１１に拡径部１０ｂがひっかかるようにしている。
【００１３】
このように、カムリングの段部１１を拡径部１０ｂで引っかけた状態で、ピン１０の先端側挿入部１０ａをサイドプレート３の挿入穴３ａに圧入するようにしている。
そして、ピン１０をサイドプレート３に圧入する際、貫通孔Ｈに挿入したピン１０の先端が、挿入孔３ａの底面に当接する前に、拡径部１０ｂの端面１２が、ピン孔Ｈの段部１１に当接するようにしている。つまり、ピン１０の先端側挿入部１０ａの長さを、段部１１から挿入孔３ａの底面までの距離よりも短くなるように設定して、ピン１０を貫通孔Ｈに挿入したときに、ピン孔Ｈの段部１１に拡径部１０ｂが引っかかるようにしている。
【００１４】
上記したように、ピン１０、１０の拡径部１０ｂ，１０ｂが段部１１にひっかかるため、各ピン１０，１０の先端側挿入部１０ａは、カムリング４の側面４ｃから突出する。そして、この突出した部分を、カムリング４とサイドプレート３とが密着するまでサイドプレート３の挿入孔３ａ，３ａに圧入することで、カムリング４の側面４ｃをサイドプレート３に押し付けるようにしている。このようにカムリング４の側面４ｃがサイドプレート３に強く押し付けられると、その接触面の最大静止摩擦力が増大して、サイドプレート３に対するカムリング４の相対移動が規制される。つまり、サイドプレート３に対してカムリング４が強固に固定される。
【００１５】
一方、上記ピン１０の他端側は、ケーシング１に固定した図示していないカバーの挿入孔にしっかり固定するようにしている。そのため、サイドプレート３は、ピン１０を介してカバー側にしっかり連結される。このようにカバー側にしっかり連結されたサイドプレート３に、上記したようにカムリング４をがたつきなく固定しているので、サイドプレート３に対するカムリング４のガタツキが規制されることになる。
この実施形態によれば、上記のようにカムリング４をサイドプレート３に確実に固定するようにしたので、作動中のカムリング４の振動を防止することができる。さらに、上記振動を防止できるので、振動が原因で発生するポンプの振動や異音を防止することができる。
【００１６】
なお、上記実施形態では、ピン１０に形成した拡径部１０ｂが、この発明のストッパー部を構成しているが、ピン１０の一部が段部１１にひっかかる構成であれば、ストッパー部は拡径部１０ｂ以外の構造でもよい。例えば、ピン１０の外周にストッパー部として部分的に凸部を設けて、この凸部を段部１１にひっかける構造にしてもよい。ただし、この実施形態ように、ピン１０の外周に拡径部１０ｂを設ければ、その押し付け力が環状の段部１１全周に作用するので、カムリング４に安定した押し付け力を作用させることができる。
【００１７】
また、ピン１０の外周の凸部の形状を、先端に向かって細くなるテーパ状にして、このテーパ状にした凸部を貫通孔Ｈの段部１１に引っかけるようにしてもよい。また、その際、段部１１の形状もテーパ状にするとよい。このように凸部及び段部１１の形状をテーパ状にすれば、ピン１０の押し付け力がカムリング４側に作用するだけでなく、ピン１０の中心に向かっても作用する。したがって、このピン１０に安定した押し付け力を発揮させることができるとともに、圧入時のサイドプレート３に対するカムリング４の位置精度を向上させることができる。
【００１８】
一方、この実施形態では、カムリング４をサイドプレート３に押し付ける構成にしているが、カムリング４をケーシング１に直接接触させるタイプのベーンポンプにおいては、ケーシング１に形成した挿入孔にピン１０を圧入して、カムリング４をケーシング１に押し付けるようにすればよい。また、カムリング４をカバーに接触させるタイプのベーンポンプにおいては、カバー側に形成した挿入孔にピン１０を圧入して、カムリング４をカバーに押し付けるようにすればよい。いずれにしても、ピン１０を利用してカムリング４を、これと相まってポンプ容積室を形成する他の部材に押し付けることで、ポンプ作動中のカムリング４のガタツキを防止することができる。また、上記ガタツキを防止することができるので、ポンプの振動や異音の発生を防止することができる。
【００１９】
さらに、この実施形態では、ピン１０の先端側挿入部１０ａを、挿入孔３ａに圧入して固定するようにしているが、先端側挿入部１０ａに雄ねじを形成し、挿入孔３ａに雌ねじを形成し、これらピン１０と挿入孔３ａとを螺合するようにしてもよい。
【００２０】
【発明の効果】
第１の発明によれば、カムリングに形成した貫通孔の内周に段部を設ける一方、この貫通孔に挿入するピンに、上記段部にひっかかるストッパー部を設け、このストッパー部を段部にひっかけた状態で、ピンの一端をケーシングに挿入して固定すると、カムリングがケーシングに押し付けられる構成にしたので、カムリングをケーシングに確実に固定することができる。
したがって、作動中のカムリングの振動を防止することができ、結果的にポンプの振動や異音の発生を防止することができる。
【００２１】
第２の発明によれば、カムリングに形成した貫通孔の内周に段部を設ける一方、この貫通孔に挿入するピンに、上記段部にひっかかるストッパー部を設け、このストッパー部を段部にひっかけた状態で、ピンの一端をケーシングに挿入して固定すると、カムリングがサイドプレートに押し付けられる構成にしたので、カムリングをサイドプレートに確実に固定することができる。
したがって、作動中のカムリングの振動を防止することができ、結果的にポンプの振動や異音の発生を防止することができる。
【図面の簡単な説明】
【図１】この発明の実施形態を示した断面図である。
【図２】従来のベーンポンプのカバーを取り除いた説明図である。
【図３】カムリング４とロータ６との組み合わせ状態を示す説明図である。
【図４】図３のＩＶ−ＩＶ線断面図である。
【符号の説明】
Ｈ　　貫通孔
１　　ケーシング
３　　サイドプレート
４　　カムリング
４ａ　リング孔
６　　ロータ
７　　ベーン
１０　　ピン
１０ａ　先端側挿入部
１０ｂ　ストッパー部
１１　　段部
１２　　端面
【図１】
2004084565.tif 000003
【図２】
2004084565.tif 000004
【図３】
2004084565.tif 000005
【図４】
2004084565.tif 000006